【手続補正書】
【提出日】平成27年11月25日(2015.11.25)
【手続補正１】
【補正対象書類名】明細書
【補正対象項目名】０００４
【補正方法】変更
【補正の内容】
【０００４】
さらに、スイッチの開放中に、スイッチにおけるスイッチング接点と並列の電流バイパス経路に電流を迂回させることでアークが回避される解決策が知られている。  
この電流バイパス経路は、半導体スイッチ、コンデンサまたは温度依存性抵抗器を用いることによって形成され得る。  
この装置では、電流バイパス経路におけるコンデンサまたは温度依存性抵抗器が、電流バイパス経路における半導体スイッチが次のように駆動するように設計されている。  
すなわち、スイッチが開くと、このスイッチが開いている時に電圧と電流が非常に低くなってアークが発生しないように、電流はまず電流バイパス経路を介して少なくとも大きく流れる。  
その後、電流バイパス経路の電流が理想的にはゼロの値まで低下し、それによって、装置全体を流れる電流が遮断される。
【手続補正２】
【補正対象書類名】明細書
【補正対象項目名】０００５
【補正方法】変更
【補正の内容】
【０００５】
以下のテキストでは略してＰＴＣ抵抗器とも呼ばれる、正の温度係数（ＰＴＣ）を有する抵抗器を用いるこのような装置は、たとえば印刷文献である特許文献１によって知られている。  
この装置は、スイッチの開放と、ＰＴＣ抵抗器によって形成された電流バイパス経路への迂回との後に回路の電流をゼロの値まで下げられるように、さらなるスイッチと直列に動作する。  
このさらなるスイッチは、バイパス経路を流れる電流がこのような小さい値まで低下すると難なく開くことができ、このさらなる接点ギャップが開いた時には、アークはもはや発生しないか、または消弧されることになる。  
両方のスイッチは、たとえば電磁的に一緒に動作するスイッチであることによって、同時か、または互いに対して短い時間間隔で動作する。
【手続補正３】
【補正対象書類名】明細書
【補正対象項目名】００１７
【補正方法】変更
【補正の内容】
【００１７】
回路装置におけるさらに有利な実施形態では、ヒューズがトリップした時のヒューズ両端の電圧降下を制限する回路ユニットが、上記ヒューズと並列に配置されている。  
そのため、高い電圧が回路装置の両端にかかっているにもかかわらず、電気的強度の低さと、それによる構造上のサイズの小ささとを有するヒューズを用いることができる。  
この回路ユニットは、ヒューズがトリップした後に電流バイパス経路の電流を維持するが、この電流は、熱くなり始めるＰＴＣ抵抗器によって急速に減少し、場合によっては上記のさらなるスイッチを介して完全にゼロまで低下し得る。  
この回路ユニットは、少なくとも１つのダイオード、または、逆平行に接続された２つのダイオードを備えることが好ましい。  
特に好ましくは、上記ダイオードのうちの少なくとも１つは、この場合には、ツェナーダイオード、または、トランシルダイオードとしても知られているサプレッサダイオードである。  
ヒューズと並列に配置された上記回路ユニットは、バリスタなどの少なくとも１つの電圧依存性抵抗器を備えることが特に好ましい。
【手続補正４】
【補正対象書類名】明細書
【補正対象項目名】００１９
【補正方法】変更
【補正の内容】
【００１９】
この装置では、ヒューズの両端の電圧降下を求めるためにコンパレータ回路が設けられていること、および／または、上記スイッチおよび／もしくは上記さらなるスイッチを動作させるための動作コイルが、ヒューズとＰＴＣ抵抗器とを接続するノードに接続されていることが好ましい。  
双方において、上記スイッチおよび／または上記さらなるスイッチの動作は、ヒューズの状態に応じて簡単な方法で阻止され得る。
【手続補正５】
【補正対象書類名】明細書
【補正対象項目名】００３０
【補正方法】変更
【補正の内容】
【００３０】
温度依存性抵抗器１０５は、最初は周囲温度を有していることから、ＰＴＣ抵抗器１０５における正の温度係数のために自身の抵抗が比較的低い。  
電流バイパス経路１０４の電流は、典型的なダイオード１０７の場合には約１ボルトの範囲内である順方向電圧のために、基本的にはヒューズ１０６を通って流れる。  
周囲温度を有するＰＴＣ抵抗器１０５の抵抗と、ヒューズ１０６のトリップ電流とは、ヒューズ１０６がトリップするように選択されている。  
ヒューズ１０６は、可溶性の遮断器などの、不可逆的にトリップするヒューズであることが好ましい。  
ヒューズ１０６がトリップすると、電流バイパス経路１０４の電流はダイオード１０７の方に切り替わる。  
また、ＰＴＣ抵抗器１０５の抵抗値は、スイッチ１０１が開いた後に電流バイパス経路１０４を最初に通って流れる電流が十分に大きくなるように決められており、それによってスイッチ１０１の両端の電圧降下が非常に小さくなるため、スイッチ１０１の所にアークが生じることはない。
【手続補正６】
【補正対象書類名】明細書
【補正対象項目名】００４３
【補正方法】変更
【補正の内容】
【００４３】
図３の光起電力発生器１は、単一の光起電力セルの回路記号によって例として表されている。  
図示されている太陽光発電設備の実装形態では、光起電力発生器１は、多数のセルを有する単一の光起電力モジュールでもよく、または、１つもしくは並列に接続された複数のストリングを形成するために特に直列に接続された複数の光起電力モジュールからなる相互接続体であってもよい。  
インバータ５は、さらに例として、電力供給網６への単相供給に向けて２つだけの交流出力部を有して設計されている。  
当然ながら、三相設計などの、図示されているインバータ５における単相設計以外の別の設計も可能である。
【手続補正７】
【補正対象書類名】特許請求の範囲
【補正対象項目名】全文
【補正方法】変更
【補正の内容】
【特許請求の範囲】
【請求項１】
ＰＴＣ抵抗器（１０５）を備える電流バイパス経路（１０４）がスイッチ（１０１）と並列に設けられた、スイッチング処理中に発生するアークを抑圧するための回路装置（１０）において、
前記電流バイパス経路（１０４）における前記ＰＴＣ抵抗器（１０５）と直列にヒューズ（１０６）が接続されていることを特徴とする
回路装置（１０）。
【請求項２】
前記スイッチ（１０１）と前記電流バイパス経路（１０４）とからなる並列回路と直列にさらなるスイッチ（１０２）が接続されている
請求項１に記載の回路装置（１０）。
【請求項３】
さらなるスイッチ（１０２）が前記電流バイパス経路（１０４）に配置されている
請求項１に記載の回路装置（１０）。
【請求項４】
前記スイッチ（１０１）および前記さらなるスイッチ（１０２）が、前記スイッチ（１０１）および前記さらなるスイッチ（１０２）の動作に関して結合している
請求項２または３に記載の回路装置（１０）。
【請求項５】
前記ヒューズ（１０６）がトリップした時の前記ヒューズ（１０６）の両端の電圧降下を制限する回路ユニットが前記ヒューズ（１０６）と並列に配置されている
請求項１から４のいずれか一項に記載の回路装置（１０）。
【請求項６】
前記ヒューズ（１０６）と並列に配置された前記回路ユニットが、少なくとも１つのダイオード（１０７、１０７ａ、１０７ｂ）を備える
請求項５に記載の回路装置（１０）。
【請求項７】
前記ヒューズ（１０６）と並列に配置された前記回路ユニットが、逆平行に接続された２つのダイオード（１０７、１０７ａ、１０７ｂ）を備える
請求項６に記載の回路装置（１０）。
【請求項８】
前記ダイオード（１０７、１０７ａ、１０７ｂ）のうちの少なくとも１つがツェナーダイオードまたはサプレッサダイオードである
請求項６または７に記載の回路装置（１０）。
【請求項９】
前記ヒューズ（１０６）と並列に配置された前記回路ユニットが、バリスタなどの少なくとも１つの電圧依存性抵抗器を備える
請求項５に記載の回路装置（１０）。
【請求項１０】
前記スイッチ（１０１）、および／または、前記さらなるスイッチ（１０２）の動作が、前記ヒューズ（１０６）の両端の電圧降下に応じて阻止される
請求項１から９のいずれか一項に記載の回路装置（１０）。
【請求項１１】
前記ヒューズ（１０６）の両端の電圧降下を求めるためにコンパレータ回路（１０９）が設けられている
請求項１０に記載の回路装置（１０）。
【請求項１２】
前記スイッチ（１０１）、および／または、前記さらなるスイッチ（１０２）を動作させるための動作コイル（１１３）が、前記ヒューズ（１０６）と前記ＰＴＣ抵抗器（１０５）とを接続するノードに接続されている
請求項１０に記載の回路装置（１０）。
【請求項１３】
前記スイッチ（１０１）、および／または、前記さらなるスイッチ（１０２）に熱的に接続された温度ヒューズ（１１４）が、前記動作コイル（１１３）と直列に接続されている
請求項１０から１２のいずれか一項に記載の回路装置（１０）。
【請求項１４】
前記ヒューズ（１０６）および／または前記温度ヒューズ（１１４）が、可逆的にトリップするヒューズである
請求項１から１３のいずれか一項に記載の回路装置（１０）。
【請求項１５】
前記電流バイパス経路（１０４）を介して行われた消弧処理を数えるための計数デバイスを備える
請求項１４に記載の回路装置（１０）。
【請求項１６】
前記計数デバイスが、所定数の消弧処理の完了が達せられた時に、前記可逆的にトリップするヒューズ（１０６）のリセットを阻止する
請求項１５に記載の回路装置（１０）。
【請求項１７】
ＤＣライン（２、３）を介してインバータ（５）に接続された光起電力発生器（１）を有する太陽光発電設備において
請求項１から１６のいずれか一項に記載の回路装置（１０）が前記ＤＣライン（２、３）のうちの少なくとも一方に配置されている、太陽光発電設備。
【請求項１８】
前記スイッチ（１０１）、および／または、前記さらなるスイッチ（１０２）が、前記インバータ（５）からの前記光起電力発生器（１）の電気的絶縁のためのリレー（４）の一部である
請求項１７に記載の太陽光発電設備。
【請求項１９】
前記回路装置（１０）と直列に耐アークスイッチングユニット（２０）が接続されている
請求項１７または１８に記載の太陽光発電設備。
【請求項２０】
前記耐アークスイッチングユニット（２０）が、前記回路装置（１０）における前記スイッチ（１０１）および／または前記さらなるスイッチ（１０２）によって形成されたスイッチ（２０１）を有する
請求項１９に記載の太陽光発電設備。